(57)【要約】【課題】  組合せ又は分離で使用可能な手持ちビデオ／オーディオ撮影・録画装置を提供する。【解決手段】  本体ユニット１０１と、電気回路装置１０２、録画されたデータのメモリー装置する１０３、携帯式蓄電電源１０４、組合せる状態又は分離で使用する場合の送信装置１０５とを独立ケースに設ける。ビデオ／オーディオ出力ユニット１１１と、ディスプレー１１２、オーディオスピーカ装置１１３、出力に関連する電気回路１１４を独立ケースに設ける。撮影録画構造を有する装置１２２及び機構で構成されたビデオ／オーディオ撮影録画ユニット１２１とデータのメモリー装置する１２３、携帯式蓄電電源１２４とを独立ケースに設ける。各ユニットを分離する場合、有線又は無線の送信装置として使われる。前述の各ユニットは必要によって、組合せる状態又は分離で使用することを選択可能であり、応用の範囲が広い。【選択図】    図１
2005276357.tif 000002
【特許請求の範囲】
【請求項１】
組合せ又は分離で使用可能な手持ちビデオ／オーディオ撮影・録画装置であって、
本体ユニット、ビデオ／オーディオ出力ユニット、及び手持ちビデオ／オーディオ撮影録画ユニットで構成され、更に、その上にそれぞれ携帯式の蓄電電源を設けてあり、各ユニットを分離する場合、有線又は無線の送信を行なえる装置であり、又、必要によって、無線のビデオ又はオーディオ、ビデオ／オーディオの混合信号、又は制御信号の発射及び受信装置を選んで設けることが可能であり、又、分離操作を行なう場合の繋がるものとして、有線送信導線が設けられ、更に、その分離使用状態は、それぞれのユニットの一つに携帯式蓄電電源を設けてある場合、有線の導線を通して、電源及びビデオ信号、又はオーディオ信号、ビデオ／オーディオの混合信号、又は制御信号の送信を行なえ、又、個別のユニットにすべて携帯式の蓄電電源を設けてあり、更に、射出周波数電磁気波、又は赤外線などの方式を用いる発射及び受信装置を設けてあることで、ビデオ信号、又はオーディオ信号、ビデオ／オーディオの混合信号、又は制御信号の無線送信を行なうことが可能であり、その組合せる方式は、それぞれのユニットに設けてある相互に嵌め、ラッチ、ロック、旋回又は磁気で吸い付け等の分離又は組合せやすい構造で組合せ、その二つのユニットを組合せた後、送信導線を通して送信するか、プラグ・ソケットセットで繋ぐことで電源、又はビデオ信号、又はオーディオ信号、ビデオ／オーディオ混合信号、又は制御信号を送信し、又は射出周波数電磁気波、又は赤外線、又は超音波などの方式を用いる発射及び受信装置で、ビデオ信号、又はオーディオ信号、ビデオ／オーディオ混合信号、又は制御信号の無線の送信を行なうものであり、その主要な組合せるユニットは下記の通りであり、
本体ユニット１０１は、従来の手持ちビデオ／オーディオ撮影・録画装置(例えばカメラの手持ち撮影・録画装置など)の本体装置であり、それを独立ケースに設けてあり、又、独立ケースの中に操作インターフェース及び本体ユニットに関連する電気回路装置１０２、及び機構、撮影・録画されたデータのメモリー装置する１０３、携帯式蓄電電源１０４、組合せる状態又は分離で使用する場合の送信装置１０５を設けてあり、それは無線の発射及び受信装置、導線又はプラグ・ソケットセットを含むことで、ビデオ信号、又はオーディオ信号、ビデオ／オーディオの混合信号、又は信号制御を送信インターフェースとし、又、その他のユニットと一緒に共用構造体を構成しない場合、その上に、その他のユニットと相互に嵌め、ラッチ、ロック、旋回又は磁気で吸い付け等の分離又は組合せやすい構造を設けてあり、
ビデオ／オーディオ出力ユニット１１１は、従来の手持ちビデオ／オーディオ撮影・録画装置のランダムディスプレーに関するものであり、それを独立のケースに設けてあり、そのケースは、ビデオ／オーディオ・ディスプレー１１２、及び必要によって設けられるオーディオスピーカ装置１１３、ビデオ／オディーオ出力に関連する電気回路１１４及び機構で構成され、又、必要によって、携帯式蓄電電源１１５を設けるか、携帯式電源を設けなくて、送信導線又はプラグ・ソケットセットを設けることで電源を導入し、又、組合せる状態又は分離で使用する場合の送信装置１１６を設けてあり、それは無線の発射及び受信装置、又は送信導線、又はプラグ・ソケットセットを含み、それをビデオ信号、又はオーディオ信号、ビデオ／オーディオの混合信号、又は制御信号の送信インターフェースとし、又、その他のユニットと一緒に共用構造体を構成しない場合、その上に、その他のユニットと相互に嵌め、ラッチ、ロック、旋回又は磁気で吸い付け等の分離又は組合せやすい構造を設けてあり、
手持ちビデオ／オーディオ撮影録画ユニット１２１、それは従来の手持ちビデオ／オーディオ撮影・録画装置例えばデジタルカメラ、又は手持カメラ例えばＶ８、Ｈｉ８、Ｄ８、Ｄｖ８…などの映像又はビデオ／オーディオ撮影・録画装置であり、それを独立ケースに設けてあり、又、ケースの中に映像静撮影、又は映像連続撮影、撮影及び録音、映像連続撮影、及び録音などの機能の中での１種又は１種以上の機能を持つビデオ／オーディオ撮影録画構造のある装置１２２及び機構で設けられ、又、必要によって、撮影・録画されたデータのメモリー装置する１２３、携帯式蓄電電源１２４を選んで設けるか、又、携帯式電源を設けなくて、送信導線又はプラグ・ソケットセットを設けることで電源を導入し、又、組合せる状態又は分離で使用する場合の送信装置１２５を設けてあり、それは無線の発射及び受信装置、又は送信導線、又はプラグ・ソケットセットを含み、それをビデオ信号、又はオーディオ信号、ビデオ／オーディオの混合信号、又は制御信号の送信インターフェースとし、又、その他のユニットと一緒に共用構造体を構成しない場合、その上に、その他のユニットと相互に嵌め、ラッチ、ロック、旋回又は磁気で吸い付け等の分離又は組合せやすい構造を設けてあることを特徴とする組合せ又は分離で使用可能な手持ちビデオ／オーディオ撮影・録画装置。
【請求項２】
請求項１で記載された組合せ又は分離で使用可能な手持ちビデオ／オーディオ撮影・録画装置であって、その組合せる方式は下記の通りであり、即ち、本体ユニット１０１、ビデオ／オーディオ出力ユニット１１１、及び手持ちビデオ／オディーオ撮影録画ユニット１２１はそれぞれ分離な使用状態であるが、組合せる状態又は分離で使用する場合の送信装置１０５、１１６、１２５を通して相互に送信し、それは送信導線、又は無線（wireless）の送信装置によって、ビデオ信号、又はオーディオ信号、ビデオ／オーディオの混合信号、制御信号、送信電源の電気エネルギーを送信し、及び常態な機能操作を行なうものを含む。
【請求項３】
請求項１で記載された組合せ又は分離で使用可能な手持ちビデオ／オーディオ撮影・録画装置に関であって、その組合せる方式は下記の通りであり、即ち、ビデオ／オーディオ出力ユニット１１１を本体ユニット１０１と組合せるが、手持ちビデオ／オーディオ撮影録画ユニット１２１と分離な使用状態を呈し、又、組合せる状態又は分離で使用する場合の送信装置１０５、１１６、１２５を通して相互に送信し、それは送信導線、又は無線(wireless)の送信装置によって、ビデオ信号、又はオーディオ信号、ビデオ／オーディオの混合信号、制御信号、送信電源の電気エネルギーを送信し、及び常態な機能操作を行なうものを含む。
【請求項４】
請求項１で記載された組合せ又は分離で使用可能な手持ちビデオ／オーディオ撮影・録画装置であって、その組合せる方式は下記の通りであり、即ち、手持ちビデオ／オーディオ撮影録画ユニット１２１を本体ユニット１０１と組合せるが、ビデオ／オーディオ出力ユニット１１１と分離な使用状態を呈し、又、組合せる状態又は分離で使用する場合の送信装置１０５、１１６、１２５を通して相互に送信し、それは送信導線、又は無線(wireless)の送信装置によって、ビデオ信号、又はオーディオ信号、ビデオ／オーディオの混合信号、制御信号、送信電源の電気エネルギーを送信し、及び常態な機能操作を行なうものを含む。
【請求項５】
請求項１で記載された組合せ又は分離で使用可能な手持ちビデオ／オーディオ撮影・録画装置であって、その組合せる方式は下記の通りであり、即ち、手持ちビデオ／オーディオ撮影録画ユニット１２１をビデオ／オーディオ出力ユニット１１１と組合せるが、本体ユニット１０１と分離な使用状態を呈し、又、組合せる状態又は分離で使用する場合の送信装置１０５、１１６、１２５を通して相互に送信し、それは送信導線、又は無線(wireless)の送信装置によって、ビデオ信号、又はオーディオ信号、ビデオ／オーディオの混合信号、制御信号、送信電源の電気エネルギーを送信し、及び常態な機能操作を行なうものを含む。
【請求項６】
請求項１で記載された組合せ又は分離で使用可能な手持ちビデオ／オディーオ撮影・録画装置であって、その組合せる方式は、更に、本体ユニット１０１及びビデオ／オーディオ出力ユニット１１１設けてある共用構造の構造体２００１、共用構造に関連する電気回路２０１４及び関連する機構で構成しても良く、又、その上に撮影・録画されたデータのメモリー装置する１０３、ビデオ／オーディオ・ディスプレー１１２、オーディオスピーカ装置１１３、又は組合せる状態又は分離で使用する場合の共用構造式の送信装置２００３、共用構造携帯式の蓄電電源２００２を設けてあるが、手持ちビデオ／オーディオ撮影・録画ユニットは独立のユニットであり、その上にも独立で携帯式蓄電電源１２４が設けられ、又、組合せる状態又は分離で使用する場合の送信装置１２５、手持ちビデオ／オーディオ撮影録画ユニット１２１の構造体は、本体ユニット１０１とビデオ／オーディオ出力ユニット１１１の共用構造の構造体２００１間に分離操作を行なうことが可能であり、又、二つの構造体の間に組合せる状態又は分離で使用する場合の共用構造式の送信装置２００３、及び組合せる状態又は分離で使用する場合の送信装置１２５によって相互に送信可能であり、それは送信導線で連接するか、又は射出周波数電磁気波、又は赤外線などの方式を用いる発射及び受信装置を通して、無線方式でビデオ信号、又はオーディオ信号、ビデオ／オーディオの混合信号、又は制御信号を送信し、又、両者を組合せた後一体で操作する。両者の間に、送信導線又はプラグ・ソケットを通して、電源、又はビデオ信号、オーディオ信号、ビデオ／オーディオ混合信号、送信電源の電気エネルギー、制御信号を送信することを含む。
【請求項７】
請求項１で記載された組合せ又は分離で使用可能な手持ちビデオ／オディーオ撮影・録画装置であって、その組合せる方式は、更に、本体ユニット１０１及び手持ちビデオ／オーディオ撮影録画ユニット１２１を設けてある共用構造の構造体３００１、共用構造に関連する電気回路３０１４及び関連する機構で構成しても良く、又、その上に撮影・録画されたデータのメモリー装置する１０３、ビデオ／オーディオ撮影録画構造のある装置１２２、撮影・録画されたデータのメモリー装置する１２３、又は組合せる状態又は分離で使用する場合の共用構造式の送信装置３００３、共用構造携帯式の蓄電電源３００２を設けてあるが、ビデオ／オディーオ出力ユニット１１１は独立のユニットであり、その上にも独立で携帯式蓄電電源１１５が設けられ、又、組合せる状態又は分離で使用する場合の送信装置１１６、ビデオ／オーディオ出力ユニット１１１の構造体は、本体ユニット１０１、手持ちビデオ／オーディオ撮影録画ユニット１２１の共用構造の構造体３００１間に分離操作を行なうことが可能であり、又、二つの構造体の間に組合せる状態又は分離で使用する場合の共用構造式の送信装置３００３、及び組合せる状態又は分離で使用する場合の送信装置１１６によって相互に送信可能であり、それは送信導線で連接するか、又は射出周波数電磁気波、又は赤外線などの方式を用いる発射及び受信装置を通して、無線方式でビデオ信号、又はオーディオ信号、ビデオ／オーディオの混合信号、送信電源の電気エネルギー、又は制御信号を送信し、又、両者を組合せた後一体で操作し、両者の間に、送信導線又はプラグ・ソケットを通して、電源、又はビデオ信号、オーディオ信号、ビデオ／オーディオ混合信号、送信電源の電気エネルギー、制御信号を送信することを含む。
【請求項８】
請求項１で記載された組合せ又は分離で使用可能な手持ちビデオ／オディーオ撮影・録画装置であって、その組合せる方式は、更に、手持ちビデオ／オーディオ撮影録画ユニット１２１及びビデオ／オーディオ出力ユニット１１１を設けてある共用構造の構造体４００１、共用構造に関連する電気回路４０１３及び関連する機構で構成しても良く、又、その上にビデオ／オディーオ・ディスプレー１１２、オーディオスピーカ装置１１３、ビデオ／オーディオ撮影録画構造のある装置１２２、撮影・録画されたデータのメモリー装置する１２３、又は組合せる状態又は分離で使用する場合の共用構造式の送信装置４００３、共用構造携帯式の蓄電電源４００２を設けてあるが、本体ユニット１０１は独立のユニットであり、その上にも独立で携帯式蓄電電源１０４が設けられ、又、組合せる状態又は分離で使用する場合の送信装置１０５、本体ユニット１０１の構造体は、手持ちビデオ／オーディオ撮影録画ユニット１２１とビデオ／オーディオ出力ユニット１１１の共用構造の構造体４００１間に分離操作を行なうことが可能であり、又、二つの構造体の間に組合せる状態又は分離で使用する場合の共用構造式の送信装置４００３、及び組合せる状態又は分離で使用する場合の送信装置１０５によって相互に送信可能であり、それは送信導線で連接するか、又は射出周波数電磁気波、又は赤外線などの方式を用いる発射及び受信装置を通して、無線方式でビデオ信号、又はオーディオ信号、ビデオ／オーディオの混合信号、送信電源の電気エネルギー、又は制御信号を送信し、又、両者を組合せた後一体で操作する。両者の間に、送信導線又はプラグ・ソケットを通して、電源、又はビデオ信号、オーディオ信号、ビデオ／オーディオ混合信号、制御信号を送信することを含む。
【請求項９】
請求項１で記載された組合せ又は分離で使用可能な手持ちビデオ／オディーオ撮影・録画装置であって、そのケースに組み合わせ又は分離可能な機構があり、又、それぞれ組合せる状態又は分離で使用する場合の送信装置を設けることで、ビデオ信号、オーディオ信号、ビデオ／オーディオ混合信号、又は必要によって、更に電源を含む送信装置とし、又、関連するビデオ信号、オーディオ信号、ビデオ／オーディオ混合信号、制御信号の送信装置は、適用の本体ユニット１０１、ビデオ／オーディオ出力ユニット１１１及び手持ちビデオ／オーディオ撮影録画ユニット１２１の自体の電気回路機能、構造状態、組合せ又は分離の使用条件によって異なる場合もあり、その各項目のビデオ信号、オーディオ信号、ビデオ／オーディオ混合信号、制御信号の送信方式及び送信装置は、下記の１種又は１種以上の方式を含み、
（１）それぞれの組合せられるユニットの間に、プラグ・ソケットセットを設けてあるので、組合せ後、電源の電気エネルギー又はビデオ信号、オーディオ信号、ビデオ／オーディオ混合信号、制御信号を送信可能であり、
（２）固定タイプの伝送導線は巻き取り式構造を使っても良く、それを組合せ及び分離できるユニットの間に設置することで、分離及び組合せる使用状態にすべて応用可能であり、この導線は巻き上げて内蔵可能な導線セットを含むものであり、
（３）取り外せるタイプの伝送導線は、その両端にプラグ・ソケットセットを設けてあるので、それぞれの分離及び組合せられるユニットでのプラグ・ソケットセットと合わせることで、それぞれのユニットが分離で使用する場合、その送信導線の両端でのプラグ・ソケットを相対的に各ユニットにインサートして、電源、又はビデオ信号、オーディオ信号、ビデオ／オーディオ混合信号、制御信号を送信可能であり、この導線を利用して送信する場合、各セットの分離及び組合せられるユニットは、全部独立の携帯式蓄電電源を設けることが可能であり、又、一つのユニット又は一つのユニット以上に携帯式の蓄電電源を設けることも可能であり、
（４）無線のビデオ信号、オーディオ信号、ビデオ／オーディオ混合信号、制御信号の送信装置は、各セットの分離又は組合せられるユニット、又はその共用構造の構造体に、単一方向送信又は双方向送信の射出周波数電磁気波、又は赤外線などの方式を用いる発射及び受信構造を設けることで、ビデオ信号、オーディオ信号、ビデオ／オーディオ混合信号、制御信号を送信する。
【請求項１０】
請求項１で記載された組合せ又は分離で使用可能な手持ちビデオ／オディーオ撮影・録画装置であって、それぞれのユニットに設けてある携帯式電源装置の電気エネルギーを補充する方式は下記の通りであり、
（１）外部の充電電源を利用して、独立で充電を行なえ、又は、
（２）個別で蓄電ユニットを交換することで、電気エネルギーを補足可能であり、又は、
（３）それぞれのユニットを組合せた後、共同に外部電源で充電を行なえ、
（４）それぞれのユニットの蓄電電源装置が相互に充電を行なえる。
【請求項１１】
請求項１で記載された組合せ又は分離で使用可能な手持ちビデオ／オーディオ撮影・録画装置であって、それを応用して、組み合わせ又は分離で使用できる手持ちビデオ／オーディオ撮影・録画装置を構成する他、自体の主要な機能をその他機能のある手持ち式電気製品と合わせて使用可能であり、この組合せ又は分離で使用可能な手持ちビデオ／オーディオ撮影・録画装置の中での一つのユニットのケースに、ＰＤＡ（手のひらサイズのデジタルアシスタント）、又はＧＰＳ（衛星定位システム）などの付加機能電気回路装置を設けられる。
【発明の詳細な説明】
【技術分野】
【０００１】
本発明は、組合せ又は分離で使用可能な手持ちビデオ／オーディオ撮影・録画装置に関する。
【背景技術】
【０００２】
従来の撮影・録画装置は通常固定放置式及び手持ち式が分けられ、その固定放置式は一体式及び分離式がある。
【発明の開示】
【発明が解決しようとする課題】
【０００３】
分離式はよく閉路モニターに使われるが、閉路モニターは、撮影装置を本体及びビデオ／オーディオディスプレーと組合せて一体として使用すること、及び手持ち式として使用することができない。逆に、手持ち式のビデオ／オーディオ撮影・録画装置については、例えばデジタルカメラ、又は手持ちカメラ例えばＶ８、Ｈｉ８、Ｄ８、Ｄｖ８…などの製品はいままですべて一体式の構造で、分離で使用することが無いのである。
【０００４】
したがって本発明の目的は、組合せ又は分離で使用可能な手持ちビデオ／オーディオ撮影・録画装置を提供することにある。
【課題を解決するための手段】
【０００５】
上述の目的を達成するために、本発明の請求項に記載の組合せ又は分離で使用可能な手持ちビデオ／オーディオ撮影・録画装置は、本体ユニット、ビデオ／オーディオ出力ユニット、手持ちビデオ／オーディオ撮影録画ユニットが分けられ、又、それぞれ携帯式の蓄電電源が設けられるので、各ユニットを分離する場合、有線又は無線の送信装置として使われる。前述の各ユニットは必要によって、組合せる状態又は分離で使用することを選べるので、応用の範囲がより広いのである。
【発明を実施するための最良の形態】
【０００６】
以下、本発明の実施例を図面に基づいて説明する。
図１は、組合せ又は分離で使用可能な手持ちビデオ／オーディオ撮影・録画装置の構造説明図である。その主要な組合せるユニットは下記の通りである。
本体ユニット１０１、それは従来の手持ちのビデオ／オーディオ撮影・録画装置（例えばカメラの手持ち撮影・録画装置など）の本体装置である。それを独立ケースに設けている。又、独立ケースの中に操作インターフェース及び本体ユニットに関連する電気回路装置１０２、及び機構、撮影・録画されたデータのメモリー装置する１０３、携帯式蓄電電源１０４、組合せる状態又は分離で使用する場合の送信装置１０５を設けている。それは無線の発射及び受信装置、導線又はプラグ・ソケットセットを含むことで、ビデオ信号、又はオーディオ信号、ビデオ／オーディオの混合信号、又は信号制御を送信インターフェースとする。又、その他のユニットと一緒に共用構造体を構成しない場合、その上に、その他のユニットと相互に嵌め、ラッチ、ロック、旋回又は磁気で吸い付け等の分離又は組合せやすい構造を設けているのである。
【０００７】
ビデオ／オーディオ出力ユニット１１１は、従来の手持ちビデオ／オーディオ撮影・録画装置のランダムディスプレーに関するものである。それを独立のケースに設けている。そのケースは、ビデオ／オーディオ・ディスプレー１１２、及び必要によって設けられるオーディオスピーカ装置１１３、ビデオ／オーディオ出力に関連する電気回路１１４及び機構で構成される。又、必要によって、携帯式蓄電電源１１５を設けるか、携帯式電源を設けずに、送信導線又はプラグ・ソケットセットを設けることで電源を導入する。又、組合せる状態又は分離で使用する場合の送信装置１１６を設けている。それは無線の発射及び受信装置、又は送信導線、又はプラグ・ソケットセットを含む。それをビデオ信号、又はオーディオ信号、ビデオ／オーディオの混合信号、又は制御信号の送信インターフェースとする。又、その他のユニットと一緒に共用構造体を構成しない場合、その上に、その他のユニットと相互に嵌め、ラッチ、ロック、旋回又は磁気で吸い付け等の分離又は組合せやすい構造を設けているのである。
【０００８】
手持ちビデオ／オーディオ撮影録画ユニット１２１は、それは従来の手持ちビデオ／オーディオ撮影・録画装置例えばデジタルカメラ、又は手持カメラ例えばＶ８、Ｈｉ８、Ｄ８、Ｄｖ８…などの映像又はビデオ／オーディオ撮影・録画装置である。それを独立ケースに設けている。又、ケースの中に映像静撮影、又は映像連続撮影、撮影及び録音、映像連続撮影、及び録音などの機能の中での１種又は１種以上の機能を有するビデオ／オーディオ撮影録画構造を有する装置１２２及び機構で設けられる。又、必要によって、撮影・録画されたデータのメモリー装置する１２３、携帯式蓄電電源１２４を選んで設けるか、又、携帯式電源を設けなくて、送信導線又はプラグ・ソケットセットを設けることで電源を導入する。又、組合せる状態又は分離で使用する場合の送信装置１２５を設けている。それは無線の発射及び受信装置、又は送信導線、又はプラグ・ソケットセットを含む。それをビデオ信号、又はオーディオ信号、ビデオ／オーディオの混合信号、又は制御信号の送信インターフェースとする。又、その他のユニットと一緒に共用構造体を構成しない場合、その上に、その他のユニットと相互に嵌め、ラッチ、ロック、旋回又は磁気で吸い付け等の分離又は組合せやすい構造を設けているのである。
【０００９】
この組合せ又は分離で使用可能な手持ちビデオ／オーディオ撮影・録画装置の組合せる方式は下記のものを含む。
（１）本体ユニット１０１、ビデオ／オーディオ出力ユニット１１１、及び手持ちビデオ／オーディオ撮影録画ユニット１２１はそれぞれ分離した使用状態であるが、組合せる状態又は分離で使用する場合の送信装置１０５、１１６、１２５を通して相互に送信する。それは送信導線、又は無線（wireless）の送信装置によって、ビデオ信号、又はオーディオ信号、ビデオ／オーディオの混合信号、制御信号、送信電源の電気エネルギーを送信し、及び常態な機能操作を行なうものを含むのである。
【００１０】
（２）ビデオ／オーディオ出力ユニット１１１を本体ユニット１０１と組合せるが、手持ちビデオ／オーディオ撮影録画ユニット１２１と分離な使用状態を呈する。又、組合せる状態又は分離で使用する場合の送信装置１０５、１１６、１２５を通して相互送信する。それは送信導線、又は無線（wireless）の送信装置によって、ビデオ信号、又はオーディオ信号、ビデオ／オーディオの混合信号、制御信号、送信電源の電気エネルギーを送信し、及び常態な機能操作を行なうものを含むのである。
【００１１】
（３）手持ちビデオ／オーディオ撮影録画ユニット１２１を本体ユニット１０１と組合せるが、ビデオ／オーディオ出力ユニット１１１と分離な使用状態を呈する。又、組合せる状態又は分離で使用する場合の送信装置１０５、１１６、１２５を通して相互に送信する。それは送信導線、又は無線（wireless）の送信装置によって、ビデオ信号、又はオーディオ信号、ビデオ／オーディオの混合信号、制御信号、送信電源の電気エネルギーを送信し、及び常態な機能操作を行なうものを含むのである。
【００１２】
（４）手持ちビデオ／オーディオ撮影録画ユニット１２１をビデオ／オーディオ出力ユニット１１１と組合せるが、本体ユニット１０１と分離な使用状態を呈する。又、組合せる状態又は分離で使用する場合の送信装置１０５、１１６、１２５を通して相互に送信する。それは送信導線、又は無線（wireless）の送信装置によって、ビデオ信号、又はオーディオ信号、ビデオ／オーディオの混合信号、制御信号、送信電源の電気エネルギーを送信し、及び常態な機能操作を行なうものを含むのである。
【００１３】
図２は、本発明の実施例の本体ユニットとビデオ／オーディオ出力ユニットを共用構造体として、手持ちビデオ／オーディオ撮影録画ユニットを独立ユニットとする正方形説明図である。それは、本体ユニット１０１及びビデオ／オーディオ出力ユニット１１１を設けている共用構造の構造体２００１、共用構造に関連する電気回路２０１４及び関連する機構で構成されている。又、その上に撮影・録画されたデータのメモリー装置する１０３、ビデオ／オーディオ・ディスプレー１１２、オーディオスピーカ装置１１３、又は組合せる状態又は分離で使用する場合の共用構造式の送信装置２００３、共用構造携帯式の蓄電電源２００２を設けているが、手持ちビデオ／オーディオ撮影・録画ユニットは独立のユニットであり、その上にも独立で携帯式蓄電電源１２４が設けられ、又、組合せる状態又は分離で使用する場合の送信装置１２５、手持ちビデオ／オーディオ撮影録画ユニット１２１の構造体は、本体ユニット１０１とビデオ／オーディオ出力ユニット１１１の共用構造の構造体２００１間に分離操作を行なうことが可能である。又、二つの構造体の間に組合せる状態又は分離で使用する場合の共用構造式の送信装置２００３、及び組合せる状態又は分離で使用する場合の送信装置１２５によって相互に送信可能である。それは送信導線で連接するか、又は射出周波数電磁気波、又は赤外線などの方式を用いる発射及び受信装置を通して、無線方式でビデオ信号、又はオーディオ信号、ビデオ／オーディオの混合信号、又は制御信号を送信する。又、両者を組合せた後一体で操作する。両者の間に、送信導線又はプラグ・ソケットを通して、電源、又はビデオ信号、オーディオ信号、ビデオ／オーディオ混合信号、送信電源の電気エネルギー、制御信号を送信することを含むものである。
【００１４】
図３は、この発明の実施例の本体ユニットと手持ちビデオ／オーディオ撮影録画ユニットを共用構造体として、ビデオ／オーディオ出力ユニットを独立ユニットとする正方形説明図である。それは、本体ユニット１０１及びビデオ／オーディオ撮影録画構造のある装置１２２を設けている共用構造の構造体３００１、共用構造に関連する電気回路３０１４及び関連する機構で構成することも可能である。又、その上に撮影・録画されたデータのメモリー装置する１０３、手持ちビデオ／オーディオ撮影録画ユニット１２１、撮影・録画されたデータのメモリー装置する１２３、又は組合せる状態又は分離で使用する場合の共用構造式の送信装置３００３、共用構造携帯式の蓄電電源３００２を設けているが、ビデオ／オーディオ出力ユニット１１１は独立のユニットであり、その上にも独立で携帯式蓄電電源１１５が設けられ、又、組合せる状態又は分離で使用する場合の送信装置１１６、ビデオ／オーディオ出力ユニット１１１の構造体は、本体ユニット１０１、手持ちビデオ／オーディオ撮影録画ユニット１２１の共用構造の構造体３００１間に分離操作を行なうことが可能である。又、二つの構造体の間に組合せる状態又は分離で使用する場合の共用構造式の送信装置３００３、及び組合せる状態又は分離で使用する場合の送信装置１１６によって相互に送信可能である。それは送信導線で連接するか、又は射出周波数電磁気波、又は赤外線などの方式を用いる発射及び受信装置を通して、無線方式でビデオ信号、又はオーディオ信号、ビデオ／オーディオの混合信号、送信電源の電気エネルギー、又は制御信号を送信する。又、両者を組合せた後一体で操作する。両者の間に、送信導線又はプラグ・ソケットを通して、電源、又はビデオ信号、オーディオ信号、ビデオ／オーディオ混合信号、送信電源の電気エネルギー、制御信号を送信することを含むものである。
【００１５】
図４は、この発明の実施例の手持ちビデオ／オーディオ撮影録画ユニットとビデオ／オーディオ出力ユニットを共用構造体として、本体ユニットを独立ユニットとする正方形説明図である。それは手持ちビデオ／オーディオ撮影録画ユニット１２１及びビデオ／オーディオ出力ユニット１１１を設けている共用構造の構造体４００１、共用構造に関連する電気回路４０１４及び関連する機構で構成することも可能である。又、その上にビデオ／オーディオ・ディスプレー１１２、オーディオスピーカ装置１１３、ビデオ／オーディオ撮影録画構造のある装置１２２、撮影・録画されたデータのメモリー装置する１２３、又は組合せる状態又は分離で使用する場合の共用構造式の送信装置４００３、共用構造携帯式の蓄電電源４００２を設けているが、本体ユニット１０１は独立のユニットであり、その上にも独立で携帯式蓄電電源１０４が設けられ、又、組合せる状態又は分離で使用する場合の送信装置１０５、本体ユニット１０１の構造体は、手持ちビデオ／オーディオ撮影録画ユニット１２１とビデオ／オーディオ出力ユニット１１１の共用構造の構造体４００１間に分離操作を行なうことが可能である。又、二つの構造体の間に組合せる状態又は分離で使用する場合の共用構造式の送信装置４００３、及び組合せる状態又は分離で使用する場合の送信装置１０５によって相互に送信可能である。それは送信導線で連接するか、又は射出周波数電磁気波、又は赤外線などの方式を用いる発射及び受信装置を通して、無線方式でビデオ信号、又はオーディオ信号、ビデオ／オーディオの混合信号、送信電源の電気エネルギー、又は制御信号を送信する。又、両者を組合せた後一体で操作する。両者の間に、送信導線又はプラグ・ソケットを通して、電源、又はビデオ信号、オーディオ信号、ビデオ／オーディオ混合信号、制御信号を送信することを含むものである。
【００１６】
この組合せ又は分離で使用可能な手持ちビデオ／オーディオ撮影・録画装置の組合せ又は分離可能な各構造体について、そのケースに組合せ又は分離可能な機構があり、又、それぞれ組合せる状態又は分離で使用する場合の送信装置を設けることで、ビデオ信号、オーディオ信号、ビデオ／オーディオ混合信号、又は必要によって、更に電源を含む送信装置とする。又、関連するビデオ信号、オーディオ信号、ビデオ／オーディオ混合信号、制御信号の送信装置は、適用の本体ユニット１０１、ビデオ／オーディオ出力ユニット１１１及び手持ちビデオ／オーディオ撮影録画ユニット１２１の自体の電気回路機能、構造状態、組合せ又は分離の使用条件によって異なる場合もある。その各項目のビデオ信号、オーディオ信号、ビデオ／オーディオ混合信号、制御信号の送信方式及び送信装置は、下記の１種又は１種以上の方式を含むのである。
【００１７】
（１）それぞれの組合せられるユニットの間に、プラグ・ソケットセットを設けているので、組合せて後、電源の電気エネルギー又はビデオ信号、オーディオ信号、ビデオ／オーディオ混合信号、制御信号を送信することが可能である。
【００１８】
（２）固定タイプの伝送導線は巻き取り式構造を使用することも可能である。それを組合せ及び分離可能なユニットの間に設置することで、分離及び組合せる使用状態にすべて応用可能となる。この導線は巻き上げて内蔵可能な導線セットを含むものである。
【００１９】
（３）取り外せるタイプの伝送導線は、その両端にプラグ・ソケットセットを設けているので、それぞれの分離及び組合せられるユニットでのプラグ・ソケットセットと合わせることで、それぞれのユニットが分離で使用する場合、その送信導線の両端でのプラグ・ソケットを相対的に各ユニットにインサートして、電源、又はビデオ信号、オーディオ信号、ビデオ／オーディオ混合信号、制御信号を送信することが可能である。この導線を利用して送信する場合、各セットの分離及び組合せられるユニットは、全部独立の携帯式蓄電電源を設けることが可能である。又、一つのユニット又は一つのユニット以上に携帯式の蓄電電源を設けることも可能である。
【００２０】
（４）無線のビデオ信号、オーディオ信号、ビデオ／オーディオ混合信号、制御信号の送信装置は、各セットの分離又は組合せられるユニット、又はその共用構造の構造体に、単一方向送信又は双方向送信の射出周波数電磁気波、又は赤外線などの方式を用いる発射及び受信構造を設けることで、ビデオ信号、オーディオ信号、ビデオ／オーディオ混合信号、制御信号を送信するのである。
【００２１】
この組合せ又は分離で使用できる手持ちビデオ／オーディオ撮影・録画装置の中でのそれぞれのユニットに設けている携帯式電源装置の電気エネルギーを補充する方式は、１種又は１種以上を含む。それは下記のものを含むのである。
【００２２】
（１）外部の充電電源を利用して、独立で充電を行なえる。
（２）個別で蓄電ユニットを交換することで、電気エネルギーを補足できる。
（３）それぞれのユニットを組合せた後、共同に外部電源で充電を行なえる。
（４）それぞれのユニットの蓄電電源装置が相互に充電を行なえる。
【００２３】
この組合せ又は分離で使用可能な手持ちビデオ／オーディオ撮影・録画装置に関するものである。それを応用して、組合せ又は分離で使用可能な手持ちビデオ／オーディオ撮影・録画装置を構成する他、自体の主要な機能をその他機能のある手持ち式電気製品と合わせて使用可能である。この組合せ又は分離で使用できる手持ちビデオ／オーディオ撮影・録画装置の中での一つのユニットのケースに、ＰＤＡ（手のひらサイズのデジタルアシスタント）、又はＧＰＳ（衛星定位システム）などの付加機能電気回路装置を設けられるのである。
【００２４】
上述によって、この組合せ又は分離で使用可能な手持ちビデオ／オーディオ撮影・録画装置の応用は、デジタル又はアナログ式カメラ、及びデジタル又はアナログ式の手持ち式撮影・録画機の応用を含む。更に、特定の組合せ又は分離で操作できる特色があるので、不利な視角に撮影、又は画像を連続で表示することが可能となり、分離又は組合せる状態は、すべて正常に使用可能な制御性能があることは、この発明のアイディアの所なので、特許の出願を提出して、法律によってご審査してくださいますようお願いする。
【００２５】
本発明の主要な目的は、組合せ又は分離で使用可能な手持ちビデオ／オーディオ撮影・録画装置を提供するものである。それは本体ユニット、ビデオ／オーディオ出力ユニット、及び手持ちビデオ／オーディオ撮影・録画装置で構成され、更に、その上にそれぞれ携帯式の蓄電電源を設けているし、各ユニットを分離する場合、有線又は無線の送信を行なえる装置である。又、必要によって、無線のビデオ信号又はオーディオ信号、ビデオ／オーディオの混合信号、又は制御信号の発射及び受信装置を選んで設けることが可能である。又、分離操作を行なう場合の繋がるものとして、有線送信導線が設けられる。更に、その分離使用状態は、それぞれのユニットの一つに携帯式蓄電電源を設けている場合、有線の導線を通して、電源及びビデオ信号、又はオーディオ信号、ビデオ／オーディオの混合信号、又は制御信号の送信を行なえる。又、個別のユニットにすべて携帯式の蓄電電源を設けて、更に、射出周波数電磁気波、又は赤外線などの方式を用いる発射及び受信装置を設けていることで、ビデオ信号、又はオーディオ信号、ビデオ／オーディオの混合信号、又は制御信号の無線送信を行なうことが可能となる。その組合せる方式は、それぞれのユニットに設けている相互に嵌め、ラッチ、ロック、旋回又は磁気で吸い付け等の分離又は組合せやすい構造で組合せる。その二つのユニットを組合せた後、送信導線を通して送信するか、プラグ・ソケットセットで繋ぐことで電源、又はビデオ信号、又はオーディオ信号、ビデオ／オーディオ混合信号、又は制御信号を送信する。又は射出周波数電磁気波、又は赤外線、又は超音波などの方式を用いる発射及び受信装置で、ビデオ信号、又はオーディオ信号、ビデオ／オーディオ混合信号、又は制御信号の無線送信を行なうものである。
【図面の簡単な説明】
【００２６】
【図１】本発明の実施例による組合せ又は分離で使用可能な手持ちビデオ／オーディオ撮影・録画装置を示す構造説明図である。
【図２】本発明の実施例により本体ユニットとビデオ／オーディオ出力ユニットを共用構造体として、手持ちビデオ／オーディオ撮影録画ユニットを独立ユニットとする状態を示す正方形説明図である。
【図３】本発明の実施例により本体ユニットと手持ちビデオ／オーディオ撮影録画ユニットを共用構造体として、ビデオ／オーディオ出力ユニットを独立ユニットとする状態を示す正方形説明図である。
【図４】本発明の実施例により手持ちビデオ／オーディオ撮影録画ユニットとビデオ／オーディオ出力ユニットを共用構造体として、本体ユニットを独立ユニットとする状態を示す正方形説明図である。
【符号の説明】
【００２７】
１０１  本体ユニット、１０２  操作インターフェース及び本体ユニットに関連する電気回路装置、１０３  撮影・録画されたデータのメモリー装置、１２３  撮影・録画されたデータのメモリー装置、１０４  携帯式蓄電電源、１０５  組合せる状態又は分離で使用する場合の送信装置、１１１  ビデオ／オーディオ出力ユニット、１１２  ビデオ／オーディオ・ディスプレー、１１３  オーディオスピーカ装置、１１４  ビデオ／オーディオ出力に関連する電気回路、１１５  携帯式蓄電電源、１１６  組合せる状態又は分離で使用する場合の送信装置、１２１  手持ちビデオ／オーディオ撮影録画ユニット、１２２  ビデオ／オーディオ撮影録画構造のある装置、１２４  携帯式蓄電電源、１２５  組合せる状態又は分離で使用する場合の送信装置、２００１  本体ユニットとビデオ／オーディオ出力ユニットの共用構造の構造体、２００２  共用構造携帯式の蓄電電源、２００３  組合せる状態又は分離で使用する場合の共用構造式の送信装置、２０１４  共用構造に関連する電気回路、３００１  本体ユニットと手持ちビデオ／オーディオ撮影録画ユニットの共用構造の構造体、３００２  共用構造携帯式の蓄電電源、３００３  組合せる状態又は分離で使用する場合の共用構造式の送信装置、３０１４  共用構造に関連する電気回路、４００１  手持ちビデオ／オーディオ撮影録画ユニットとビデオ／オーディオ出力ユニットの共用構造の構造体、４００２  共用構造携帯式の蓄電電源、４００３  組合せる状態又は分離で使用する場合の共用構造式の送信装置、４０１４  共用構造に関連する電気回路
【図１】
2005276357.tif 000003
【図２】
2005276357.tif 000004
【図３】
2005276357.tif 000005
【図４】
2005276357.tif 000006